(57)【特許請求の範囲】
【請求項１】
洗浄水を供給する洗浄水供給手段と、
前記洗浄水供給手段からの洗浄水の流路を切換える流路切換手段と、
前記流路切換手段から供給される洗浄水を人体局部へ噴出するノズルを有する人体局部洗浄手段と、
を備えた人体局部洗浄装置であって、
前記流路切換手段は、前記洗浄水供給手段に連通する洗浄水供給流路を有する回動可能な第一ディスクと、
前記第一ディスクに対面するように配置され、前記洗浄水供給流路を流通してきた洗浄水を人体局部の洗浄位置および洗浄強度に応じて設けられた少なくとも三つの人体局部洗浄用スリットと、前記少なくとも三つの人体局部洗浄用スリットのそれぞれに隣接する複数のノズル洗浄用スリットと、を有する第二ディスクと、
を備えたことを特徴とする人体局部洗浄装置。
【請求項２】
前記洗浄水供給流路は、前記ノズル洗浄用スリットのいずれかと連通する位置を始動および停止時の位置とし、
前記洗浄水供給流路の位置が、前記人体局部洗浄用スリットのいずれかと連通する位置へ移動し、
前記洗浄水供給流路の位置が、連通した前記人体局部洗浄用スリットと隣接する前記ノズル洗浄用スリットに連通する位置へ移動し、
前記洗浄水供給流路の位置が、連通した前記ノズル洗浄用スリットと隣接する前記人体局部洗浄用スリットに連通する位置へ移動する、
ことを特徴とする請求項１に記載の人体局部洗浄装置。
【請求項３】
前記人体局部洗浄装置は、複数の前記ノズル洗浄用スリットを連通させる流路を備えたパッキンを備える、
ことを特徴とする請求項１または請求項２に記載の人体局部洗浄装置。
【発明の詳細な説明】
【技術分野】
【０００１】
本発明は、人体局部の洗浄を行う衛生洗浄便座等に利用される人体局部洗浄装置であって、特に、洗浄水の流路を切換える流路切換手段を備えたものに関する。
【背景技術】
【０００２】
例えば、洗浄水の流路を切換えるディスクバルブ（固定ディスクと可動ディスクによって流路切り替えをおこなうバルブ）を備え、固定ディスクに「おしりパワフル」「おしりマイルド」「ビデ」の３つの洗浄モード用ポート（第１スリット、第２スリット、第３スリット）および１つのノズル洗浄用ポート（第６スリット）を配置した人体局部洗浄装置が開示されている（例えば、特許文献１参照。）。
【先行技術文献】
【特許文献】
【０００３】
【特許文献１】特開平１１−１８１８６５
【発明の概要】
【発明が解決しようとする課題】
【０００４】
しかしながら、特許文献１に記載の人体局部洗浄装置では、３つの洗浄モード用ポートに対して１つのノズル洗浄用ポートしか備えていないためノズル洗浄用ポートからの回転角が最大となる洗浄モード用ポートに可動ディスクが回転動作する場合において、動作時間が長くなり、洗浄応答性が低下する問題がある。
【０００５】
本発明は、上記の問題を解決するものであり、可動ディスクがノズル洗浄用ポートから洗浄モード用ポートへ移動する動作時間を短くし、洗浄応答性を向上させることを目的とするものである。
【課題を解決するための手段】
【０００６】
上述の課題を解決するために講じた第１の解決手段は、洗浄水を供給する洗浄水供給手段と、前記洗浄水供給手段からの洗浄水の流路を切換える流路切換手段と、前記流路切換手段から供給される洗浄水を人体局部へ噴出するノズルを有する人体局部洗浄手段と、を備えた人体局部洗浄装置であって、前記流路切換手段は、前記洗浄水供給手段に連通する洗浄水供給流路を有する回動可能な第一ディスクと、前記第一ディスクに対面するように配置され、前記洗浄水供給流路を流通してきた洗浄水を人体局部の洗浄位置および洗浄強度に応じて設けられた少なくとも三つの人体局部洗浄用スリットと、前記少なくとも三つの人体局部洗浄用スリットのそれぞれに隣接する複数のノズル洗浄用スリットと、を有する第二ディスクと、を備えたことを特徴とする人体局部洗浄装置。
【０００７】
また、第２の解決手段は、前記洗浄水供給流路は、前記ノズル洗浄用スリットのいずれかと連通する位置を始動および停止時の位置とし、前記洗浄水供給流路の位置が、前記人体局部洗浄用スリットのいずれかと連通する位置へ移動し、前記洗浄水供給流路の位置が、連通した前記人体局部洗浄用スリットと隣接する前記ノズル洗浄用スリットに連通する位置へ移動し、前記洗浄水供給流路の位置が、連通した前記ノズル洗浄用スリットと隣接する前記人体局部洗浄用スリットに連通する位置へ移動する、ことである。
【０００８】
また、第３の解決手段は、前記人体局部洗浄装置は、複数の前記ノズル洗浄用スリットを連通させる流路を有するパッキンを備える、ことである。
【発明の効果】
【０００９】
本発明によれば、第二ディスクは、ノズル洗浄用スリットを人体局部洗浄用スリットに隣接する箇所に備える。このことから、第一ディスクを回転させて洗浄水供給流路の位置をノズル洗浄用スリットの位置から人体局部洗浄用スリットの位置に移動する際、動作時間を短縮でき、洗浄応答性を向上できる。また、第一ディスクの動作量を減らすことが可能となり、対面する第二ディスクとの当接面の磨耗を低減でき、装置の故障の発生を抑制できる。
【００１０】
また、洗浄水供給流路の位置は、人体局部洗浄用スリットの位置から回転角が大きいノズル洗浄用スリットの位置へ移動せず、洗浄水供給流路の現行の位置から回転角が小さいノズル洗浄用スリット（人体局部洗浄用スリットの現行の位置に隣接するノズル洗浄用スリット）の位置へ移動する。このことから、第一ディスクを回転させて洗浄水供給流路の位置をノズル洗浄用スリットの位置から人体局部洗浄用スリットの位置に移動するのに要する動作時間を短縮できるため、人体局部洗浄手段の洗浄時間を充分に取れ、ノズル洗浄効果を向上させることができる。
【００１１】
また、人体局部洗浄装置は、複数のノズル洗浄スリットを連通させる流路を備えたパッキンを備えるため、複数のノズル洗浄スリットから人体局部洗浄手段に連通する流路を複数要せずに、洗浄水を効率よく供給できる。また、人体局部洗浄手段へ洗浄水を供給する流路をパッキンに備えることにより、第二ディスクに流路を備えた場合よりも加工性が良好で、コストを低減できる。
【図面の簡単な説明】
【００１２】
【図１】本実施例の人体局部洗浄装置の正面図である。
【図２】本実施例のハウジングおよびハウジング内に収容された構成部品を示す側面部分断面図である。
【図３】本実施例の第一ディスクの斜視図である。
【図４】本実施例の第二ディスクの斜視図である。
【図５】本実施例における図２の動作構成を示したＡ−Ａ断面図である。
【図６】本実施例における図２のＢ−Ｂ断面図である。
【発明を実施するための形態】
【００１３】
以下、本発明の実施例を図面に基づき説明する。
【００１４】
図１は、本実施例の人体局部洗浄装置１０の正面図である。人体局部洗浄装置１０は、内部に流路切換手段を備えたハウジング１２と、ハウジング１２内の流路切換手段を駆動する駆動装置１１と、を備えている。また、ハウジング１２は、ハウジング１２内に洗浄水を供給する洗浄水供給装置５０（洗浄水供給手段）と、洗浄水供給装置５０から供給される洗浄水を人体局部へ噴出するパワフル洗浄ノズル６１、マイルド洗浄ノズル６２、ビデ洗浄ノズル６３としての機能を持つ複数の人体局部洗浄ノズル６０（人体局部洗浄手段）と、人体局部洗浄ノズル６０を洗浄するノズル洗浄水吐出部７０と、洗浄水供給装置５０から洗浄水が排出されるドレイン８０と、に接続されている。
【００１５】
また、人体局部洗浄装置１０は、駆動装置１１によりハウジング１２内の流路切換手段を駆動することにより、ハウジング１２内の流路を切換え、洗浄水供給装置５０からの洗浄水を人体局部洗浄ノズル６１，６２，６３およびノズル洗浄水吐出部７０の少なくともいずれかに流通させる構成である。
【００１６】
図２は、本実施例のハウジング１２およびハウジング１２内に収容された構成部品を示す側面部分断面図である。ハウジング１２内には、駆動装置１１により回転する第一ディスク２０（流路切換手段）と、人体局部洗浄ノズル６０およびノズル洗浄水吐出部７０に連通する複数のスリットを設けた第二ディスク３０（流路切換手段）と、第二ディスク３０に設けられたスリットに対応し、人体局部洗浄ノズル６０、ノズル洗浄水吐出部７０およびドレイン８０、へ洗浄水を流通させるパッキン４０と、が収容されている。第二ディスク３０は、一方の面が第一ディスク２０と対面するよう配置され、かつ、他方の面がパッキン４０と対面するように配置されている。
【００１７】
また、第一ディスク２０は、第二ディスク３０と面で当接する当接部２１と、駆動装置１１側への洗浄水の漏出を防ぎ、当接部２１より径が大きいフランジ部２３と、を備えている。また、当接部２１の一部には、第二ディスク３０へ洗浄水を供給する洗浄水供給流路２２が形成される。そして、洗浄水供給装置５０から供給された洗浄水が、ハウジング１２の内壁と第一ディスク２０のフランジ部２３により画定される空間に流入し、洗浄水供給流路２２を通過して、第二ディスク３０に設けられたスリットのいずれかへと流通する構成となっている。
【００１８】
図３は、本実施例の第一ディスク２０の斜視図である。第一ディスク２０には、当接部２１、洗浄水供給流路２２、およびフランジ部２３のほかに、当接部２１に人体局部洗浄ノズル６０からドレイン８０へ洗浄水を連通させる洗浄水排出凹部２４が設けられている。洗浄水排出凹部２４の形状は、対応する第二ディスク３０のドレイン用スリット３５（図４）および流路３２ｂ、３３ｂ、３４ｂ（図４）の位置に合わせて形成されている。
【００１９】
ここで、本実施例では第一ディスク２０はフランジ部２３を備えることにより、駆動装置１１側への洗浄水の漏出を防いでいるが、フランジ部２３より駆動装置１１側に第一ディスク２０と別体のシール部材を設けると共に、洗浄水供給流路２２を第一ディスク２０の両面を貫通するスリットとして形成させても良い。
【００２０】
図４は、本実施例の第二ディスク３０の斜視図である。第二ディスク３０は、第一ディスク２０に備えられた洗浄水供給流路２２の位置と合致したときに流路が連通するようになるノズル洗浄用スリット３１ａ、３１ｂと、人体局部洗浄用スリット３２，３３，３４と、を備える。ノズル洗浄用スリット３１ａは、人体局部洗浄用スリット３３と３４との間に配設され、ノズル洗浄用スリット３１ｂは、人体局部洗浄用スリット３２と３３との間に配設される。したがって、第二ディスク３０は、少なくとも三つの人体局部洗浄用スリット３２，３３，３４のそれぞれに隣接する複数のノズル洗浄用スリット３１ａ、３１ｂを備える。
【００２１】
また、第二ディスク３０は、第一ディスク２０に備えられた洗浄水排出凹部２４から洗浄水を連通させるドレイン用スリット３５と、流路３２ｂ、３３ｂ、３４ｂと、を備える。ドレイン用スリット３５は、人体局部洗浄用スリット３２と３４との間に配設される。流路３２ｂ、３３ｂ、３４ｂは、それぞれが第一ディスク２０の洗浄水排出凹部２４を介してドレイン用スリット３５と連通し、ドレイン用スリット３５に近い位置に洗浄水を導くように形成されている。
【００２２】
また、人体局部洗浄用スリット３２，３３，３４は、それぞれが連通する人体局部洗浄ノズル６０から噴出される洗浄水の水圧または流量を調整する流路３２ａ、３３ａ、３４ａを備える。尚、水圧または流量を調整する際の洗浄水供給流路２２の位置は、ユーザの設定に対応して所定の水圧または流量となるようにＥＣＵ（省略）により制御される。
【００２３】
図５は、本実施例における図２の動作構成を示すＡ−Ａ断面図である。第一ディスク２０と第二ディスク３０の相対回転に対して洗浄水供給流路２２と連通するノズル洗浄用スリット３１ａ、３１ｂが、洗浄水供給流路２２と連通する人体局部洗浄用スリット３２，３３，３４のそれぞれの位置の間になるように構成されている。
【００２４】
（ａ）は、人体局部洗浄装置１０の始動時および停止時であり、第一ディスク２０の洗浄水供給流路２２の位置は、第二ディスク３０のノズル洗浄用スリット３１ａと連通する位置にあり、かつ、洗浄水排出凹部２４の位置は、ドレイン用スリット３５と流路３２ｂ、３３ｂ、３４ｂと連通する位置にある。
【００２５】
（ｂ）は、第一ディスク２０と第二ディスク３０の相対回転により、洗浄水供給流路２２の位置が、（ａ）の人体局部洗浄装置１０の始動時および停止時の位置２２ａからの回転角が最大となる人体局部洗浄用スリット３２の位置に移動した場合である。このとき、洗浄水供給流路２２は、人体局部洗浄用スリット３２と連通している。
【００２６】
（ｃ）は、第一ディスク２０と第二ディスク３０の相対回転により、洗浄水供給流路２２の位置が、（ｂ）の位置からノズル洗浄用スリット３１ｂの位置に移動した場合である。このとき、洗浄水供給流路２２は、ノズル洗浄用スリット３１ｂと連通している。
【００２７】
図６は、本実施例における図２のＢ−Ｂ断面図である。ノズル洗浄用スリット３１ａ、３１ｂは、パッキン４０に設けられた連通路４１により、連通されており、パッキン４０の連通路４１を通じて流通する洗浄水が二点鎖線で示されるハウジング１２のポート７１を介してノズル洗浄水吐出部７０へ流通する。パッキン４０の材質としては、洗浄水の流出防止および加工性を考慮してゴムまたは軟質プラスチックが使用される。ここで、本実施例では、第一ディスク２０と第二ディスク３０として磨耗を防ぐために硬質材料が使用され、第二ディスク３０とは別体にパッキン４０が備えられているが、パッキン４０の流路を第二ディスク３０内またはハウジング１２内に形成することも可能である。
【００２８】
以下、実施例の動作について説明する。
【００２９】
上記の構成において、人体局部洗浄装置１０を使用するユーザが選択する洗浄モードに応じて、第一ディスク２０の洗浄水供給流路２２の位置が、初期状態であるノズル洗浄用スリット３１ａの位置から第二ディスク３０の選択された人体局部洗浄用スリット３２、３３、３４のいずれかの選択位置に移動し、洗浄水が流通することにより、人体局部洗浄ノズル６０内の冷水抜きを開始する。
【００３０】
人体局部洗浄ノズル６０の冷水抜き後、第一ディスク２０の洗浄水供給流路２２の位置が、第二ディスク３０の人体局部洗浄用スリット３２、３３、３４のいずれかの選択位置に隣接するノズル洗浄用スリット３１ａまたは３１ｂの位置に移動し、洗浄水がパッキン４０内の連通路４１を介して流通し、ノズル洗浄水吐出部７０から洗浄水を流出させて選択された洗浄モードに対応する人体局部洗浄ノズル６０の洗浄を行う。このとき、選択された洗浄モードに対応する人体局部洗浄ノズル６０が、収納位置（省略）から洗浄位置（省略）へ移動するまでの間洗浄できる。
【００３１】
選択された人体局部洗浄ノズル６０が洗浄位置へ移動後、第一ディスク２０の洗浄水供給流路２２の位置が、第二ディスク３０のノズル洗浄用スリット３１ａまたは３１ｂのいずれかの位置から、選択された人体局部洗浄用スリット３２，３３，３４のいずれかの位置に移動し、かつ、水圧設定の強さに応じた流路３２ａ、３３ａ、３４ａのいずれかの位置に移動し、洗浄水を流通することにより、人体局部洗浄ノズル６０から洗浄水が噴出される。
【００３２】
例えば、ユーザが「パワフル洗浄」に相当するモードを選択した際、第一ディスク２０の洗浄水供給流路２２の位置が、第二ディスク３０のノズル洗浄用スリット３１ａの位置から人体局部洗浄用スリット３２の位置へ移動し、洗浄水を流通することにより、パワフル洗浄ノズル６１内の冷水抜きを開始する（図５（ｂ））。
【００３３】
パワフル洗浄ノズル６１の冷水抜き後、第一ディスク２０の洗浄水供給流路２２の位置が、第二ディスク３０の人体局部洗浄用スリット３２に隣接するノズル洗浄用スリット３１ｂの位置に移動し、洗浄水がパッキン４０内の連通路４１を介して流通し、ノズル洗浄水吐出部７０を介してパワフル洗浄ノズル６１の洗浄を行う（図５（ｃ））。
【００３４】
パワフル洗浄ノズル６１の洗浄後、第一ディスク２０の洗浄水供給流路２２の位置が、第二ディスク３０のノズル洗浄用スリット３１ｂの位置から、人体局部洗浄用スリット３２の位置に移動し、洗浄水を流通することにより、パワフル洗浄ノズル６１から洗浄水が噴出される。
【００３５】
また、人体局部洗浄装置１０の始動時および停止時において、第一ディスク２０の洗浄水供給流路２２は、第二ディスク３０のノズル洗浄用スリット３１ａに連通し、かつ、第一ディスク２０の洗浄水排出凹部２４は、第二ディスク３０のドレイン用スリット３５と流路３２ｂ、３３ｂ、３４ｂとが連通する位置にある。
【００３６】
以下、実施例の効果について説明する。
【００３７】
上記の動作において、第二ディスク３０は、ノズル洗浄用スリット３１ａまたは３１ｂを人体局部洗浄用スリット３２，３３，３４の少なくとも一つに隣接する箇所に備える。このことから、第一ディスク２０を回転させて洗浄水供給流路２２の位置をノズル洗浄用スリット３１ａまたは３１ｂの位置から人体局部洗浄用スリット３２，３３，３４のいずれかの位置に移動する際、動作時間を短縮でき、洗浄応答性を向上できる。
【００３８】
特に、従来技術のようにノズル洗浄用スリット３１ｂが無い構成において、「パワフル洗浄」を選択した場合、パワフル洗浄ノズル６１の冷水抜き後、ノズル洗浄用スリット３１ａの位置へ移動し、パワフル洗浄ノズル６１の洗浄を行う。パワフル洗浄ノズル６１を洗浄後、パワフル洗浄ノズル６１用の人体局部洗浄用スリット３２の位置に、洗浄水供給流路２２がノズル洗浄用スリット３１ａから移動する。このように、ノズル洗浄用スリット３１ｂが無い構成では、ノズル洗浄用スリット３１ａの位置から人体局部洗浄用スリット３２の位置へ洗浄水供給流路２２が移動するまでに１.５秒要していた。
【００３９】
一方、本実施例では、ノズル洗浄用スリット３１ｂを設けた場合、パワフル洗浄ノズル６１の冷水抜き後、ノズル洗浄３１ｂの位置へ移動し、その後、一連の動作を行う。ノズル洗浄用スリット３１ｂを設けた場合、ノズル洗浄用スリット３１ｂの位置から人体局部洗浄用スリット３２の位置へ洗浄水供給流路２２が移動するまでに０．６秒要する。すなわち、第一ディスク２０の動作時間は０.９秒短縮できた。
【００４０】
また、第一ディスク２０の動作量を減らすことが可能となり、第一ディスク２０の当接部２１と第二ディスク３０との当接面の磨耗を低減でき、装置の故障の発生を抑制できる。
【００４１】
また、第一ディスク２０の洗浄水供給流路２２は、第二ディスク３０の人体局部洗浄用スリット３２の位置から回転角が大きいノズル洗浄用スリット３１ａの位置へ移動せず、洗浄水供給流路３２の位置から回転角が小さいノズル洗浄用スリット３１ｂの位置へ移動する。このことから、第一ディスク２０を回転させて洗浄水供給流路２２の位置をノズル洗浄用スリット３１ａまたは３１ｂの位置から人体局部洗浄用スリット３２，３３，３４の位置に移動する動作時間を短縮できるため、人体局部洗浄ノズル６０の洗浄時間が充分に得られ、ノズル洗浄効果を向上できる。
【００４２】
特に、「パワフル洗浄」を選択した場合、０.９秒動作時間を短縮できるため、パワフル洗浄ノズル６１が収納位置から洗浄位置へ移行するまで最大０.９秒従来技術より長く洗浄時間が得られる。
【００４３】
また、人体局部洗浄装置１０は、第二ディスク３０のノズル洗浄スリット３１ａおよび３１ｂを連通する流路を有するパッキン４０を備えるため、ノズル洗浄スリット３１ａおよび３１ｂから人体局部洗浄ノズル６０に連通する流路を複数要せずに、洗浄水を効率よく供給することができる。また、人体局部洗浄ノズル６０、ノズル洗浄水吐出部７０、ドレイン８０へ洗浄水を供給する流路をゴムまたは軟質プラスチックを使用したパッキン４０に備えることにより、硬質材料を使用した第二ディスク３０に流路を備えた場合よりも加工性が良好で、コストを低減できる。
【００４４】
尚、本実施例では人体局部洗浄装置１０の「パワフル洗浄」を選択した場合を主に例として挙げたが、「マイルド洗浄」を選択しても、同様の効果が得られ一連の洗浄動作時間を短縮できる。
【符号の説明】
【００４５】
１０・・・人体局部洗浄装置
２０・・・第一ディスク（流路切換手段）
２２・・・洗浄水供給流路
３０・・・第二ディスク（流路切換手段）
３１・・・ノズル洗浄用スリット
３２，３３，３４・・・人体局部洗浄用スリット
４０・・・パッキン
５０・・・洗浄水供給装置（洗浄水供給手段）
６０・・・人体局部洗浄ノズル（人体局部洗浄手段）
【図１】
0005493589.tif 000002
【図２】
0005493589.tif 000003
【図３】
0005493589.tif 000004
【図４】
0005493589.tif 000005
【図５】
0005493589.tif 000006
【図６】
0005493589.tif 000007